(57)【要約】      （修正有）【課題】箱に収容した対象物の動きを防止するために、対象物の寸法と可能な限り近い寸法にし、容易に閉じることができる箱を提供する。【解決手段】箱Ｂは側面パネル６によって結合された前部パネル３と後部パネルを有し、箱は１つの開口部１５の閉止システム２１、２２、３７、４０を有し、箱は開口部の付近で幅の一部分Ｄに対して前部パネルと実質的に接触するような断面を有する対象物Ｅを収容する。閉止システムは後部パネルの延長部を折り曲げることによって得られ、開口部の上で折込まれる蓋を有する。蓋が閉じた状態のとき、蓋の延長部であるフラップ４０は対象物と前部パネルの間に位置する。フラップは対象物と対象物が接触している前部パネルの部分Ｄの間にフラップ４０を挿入することを助ける形状の自由端５０、５１、５２を有している。箱は特にケースＥを梱包するのに適している。【選択図】図１
2005047620.tif 000002
【特許請求の範囲】
【請求項１】
２つの側面パネル（５、６）によって結合された前部パネル（３）と後部パネル（４）を有し、 
少なくとも１つの開口部（１５）とこれを閉じる閉止システム（２１、２２、３７、４０）を有し、 
実質的に前部パネルの幅の一部分（Ｄ）のみにおいて当該開口部近傍で前部パネル（３）と接触するような断面を有する対象物（Ｅ）を収容することができ、 
前記閉止システムが後部パネル（４）の延長部を折り曲げて、前記開口部（１５）の上に被せられる蓋（３７）を有し、 
前記蓋（３７）からは蓋が閉じた状態のときに対象物（Ｅ）と前部パネル（３）の間に介挿されるフラップ（４０）が延長されており、
前記フラップは対象物（Ｅ）と前記対象物が接触する前部パネル（３）の前記一部分（Ｄ）の間に当該フラップ（４０）を挿入することを助けるような少なくとも２つの延長部（５１）を有する形状の自由端（５０，５１，５２）を具備する箱（Ｂ）。 
【請求項２】
各延長部（５１）が、対象物（Ｅ）と前部パネル（３）の間に形成されたスペースＶに、前記一部分（Ｄ）の少なくとも何れか一方の側において挿入できるようにデザインされ、 
前記延長部（５１）の自由端（５０）は蓋からの距離（ｌ）が徐々に変化し、 
蓋（３７）を閉じる際には、前記自由端（５０）は、対象物（Ｅ）と徐々に接触し、対象物（Ｅ）と前部パネル（３）の間にフラップ（４０）を挿入することを助ける請求項１に記載の箱。 
【請求項３】
対象物（Ｅ）が前部パネルの中心部分（Ｄ）のみで前部パネル（３）と接触し、前記２つの延長部（５１）は、前記対象物（Ｅ）が接触している前部パネル（３）の前記部分（Ｄ）の幅より大きな距離（ｄ、ｄ１）だけ隔てられたことを特徴とする請求項１または２に記載の箱。 
【請求項４】
対象物（Ｅ）の断面が、箱（Ｂ）の前部パネル（３）と接線方向に接触するようにデザインされた円弧部を有することを特徴とする請求項１ないし３のいずれか１つに記載の箱。 
【請求項５】
対象物（Ｅ）が円、楕円、六角形または八角形の断面形状を有することを特徴とする請求項１ないし４のいずれか１つに記載の箱。 
【請求項６】
フラップ（３７）の自由端（５０、５２）によって形成された２つの延長部（５１）は、Ｖ型、台形型または円弧型の切り込みによって隔てられていることを特徴とする請求項３ないし５のうち何れか１つに記載の箱。 
【請求項７】
切り込み（５０）の各側面において、フラップ（４０）の自由端は、蓋（３７）から延長部の頂部（５１）にかけて次第に遠ざかる部分を有することを特徴とする請求項６に記載の箱。 
【請求項８】
前記自由端（５０）は丸みのある凸状であることを特徴とする請求項７に記載の箱。 
【請求項９】
閉止システムは側面パネル（５、６）の延長部を折り曲げて得られた少なくとも１つの側面タブ（２１、２２）を具備し、蓋（３７）を閉じた位置にあるとき、前記フラップ（４０）は、側面タブ（２１、２２）の縁（２１ｂ、２２ｂ）と前部パネル（３）の間に位置するようにデザインされたことを特徴とする請求項１ないし８のいずれか１つに記載の箱。 
【請求項１０】
前記対象物（Ｅ）が口紅、ファンデーションまたはリップケア製品のようなメイクアップまたはケア製品を収容したケースであることを特徴とする請求項１ないし９のいずれか１つに記載の箱。 
【発明の詳細な説明】
【技術分野】
【０００１】
本発明は箱とその箱の中に収容された対象物を有する梱包用アセンブリに関連する。さらに具体的には、その箱は２つの側面パネルによって結合された前部パネルと後部パネルを含んだ正方形または長方形断面の本体を構成する梱包用アセンブリである。その前部と後部のパネルと側面パネルは、厚紙あるいは他の同種の物質のような一枚の素材を折って作られ、箱の本体は、少なくとも１つの開口部とそのための閉止システムを有する。その収容された対象物は特に箱の前部パネルと接触している部分を有する。特に本発明は、典型的な場合には円筒形である口紅ケースの梱包であって、口紅ケースの寸法に対応して形状が定められたものに関連する。
【背景技術】
【０００２】
ヨーロッパ特許公開公報ＥＰ−Ａ−０  ３１８  ７５０号は、一方では、それぞれが各側面パネルの延長部を折り曲げて作られ、前部縦パネルの直ぐ近くに前部の縁を有する２つの側面のタブと、他方では、後部パネルの延長部を側面タブ上に重なるように折り曲げるようデザインされ蓋の部分を有する箱を開示している。この蓋は、さらに、蓋の部分の延長部分を折り曲げることによって作られたフラップを含む。その蓋の部分はこのように後部パネルに結合された１番目の縁と、フラップに結合された２番目の縁を有する。閉じるときは、フラップは箱の前部パネルと側面タブの前部の縁の間に規定された出入り口に挿入されるように意図されている。側面タブはフラップが挿入される前に重ねあわせるように設計されており、フラップと蓋の間の接合箇所に作られた細長い隙間に噛み合うように設計された歯状部を具備する。
【特許文献１】ＥＰ−Ａ−０  ３１８  ７５０号
【発明の開示】
【発明が解決しようとする課題】
【０００３】
箱の前部と対象物の対応部分の間にフラップを挿入する際に、特に機械的手段によって産業的にこれを行なう場合に、梱包される対象物の形状とその箱の形状とに応じて、つまり一方の他方に対する相対的な寸法によっては、蓋を閉じる際に特別な注意を払うというようなことは行われていない。これは対象物が箱の内部で動かないように箱が設計されている場合でも同様である。
【０００４】
特別な注意を払わずに蓋を閉じることが可能な理由は、一般的には、口紅ケースおよび同種の製品のようなメイクアップ製品は、箱に梱包された状態でも、ある程度の左右および／または前後に空隙を有するからである。したがって、特に輸送中に、ケースが箱の中でガタつき、結果的に、ケースに棒状のリップスティックが収容されている場合には、そのリップスティックが容器から外れてしまうことが起こりえる。その結果、堅牢性が比較的低いために、製品が壊れて使い物にならなくなる。同種の問題は圧縮して製造されたメイクアップ製品に関しても起こりうる。
【０００５】
ケースが箱の内部でガタつくのを防ぐために、特に輸送中に、箱が揺らされても、対象物を箱に安全に収容するためには、箱の寸法を包装される対象物の寸法と正確に一致させる必要がある。
【０００６】
しかし、箱が、収容する対象物の寸法に対してピッタリ適合するようにできている場合、対象物が箱の中に収容した後に箱を閉じようとすると、フラップの先端が、対象物の頂部（箱の前部のパネルと接触している部分）に当たってしまう。結果として、フラップが折れ曲がって、箱を正しく閉じることができない。
【０００７】
上記の問題に鑑みて、箱の内部に収容した対象物の動きをすべてまたはほとんどすべて防止するために、収容する対象物の寸法と可能な限り近い寸法を有しているにもかかわらず、容易に閉じることができる箱を提供することが本発明の目的である。
【０００８】
特に、本発明は、産業的な手段によって、箱の前部パネルとその箱に収容される対象物の当接部分の間に閉止用フラップを簡単に挿入することを可能とするための方法を提供することに関するものである。
【課題を解決するための手段】
【０００９】
これらの目的は、前部パネルと後部パネルを有し、これらは２つの側面パネルによって結合されて、少なくとも１つの開口部とそれに関連した閉止システムを有する、例えば厚紙で作られた箱を提供することによって達成される。その箱は、前部パネルの幅の一部分のみにおいて、実質的に開口部の付近で前部パネルと接触する断面を有する対象物を収容する。閉止用システムは後部パネルの延長部を折りまげて、開口部上に重ねられる蓋を有する。蓋は、さらに蓋が閉じた状態にあるとき、対象物と前部パネルの間に位置するフラップ状の延長を有する。このフラップは、対象物と対象物が接触している前部パネルの部分の間にフラップを挿入することを助ける形状の自由端を具備する。
【００１０】
フラップの自由端は、接触部の少なくとも１つの側面において、対象物と前部パネルの間に形成されたスペースに一致するようにデザインされた少なくとも１つの延長部を形成しているのが好ましい。好ましくは、この延長部の自由端は蓋の部分からの距離が徐々に変化する。したがって、蓋を閉じるときには、徐々に変化する延長部の自由端が対象物と徐々に接触していき、それによって対象物と箱の前部パネルの間にフラップを挿入させる。
【００１１】
好ましい実施例において、箱の蓋を閉じた状態のとき、対象物は前部パネルの中心部だけで前部パネルと接触しているか、ほぼ接触しており、フラップの自由端は２つの延長部を形成している。これらの延長部は、対象物と前部パネルが接触している部分の幅より大きな距離だけ隔てられている。
【００１２】
「中央接触部」という表現はここでは対象物が接触していない２つの側部によって囲まれた部分を意味する。その２つの側部の幅は、箱の前部表面と対象物の間の接触部が、箱の前部表面の中心に位置するように、好ましくはほぼ同一である。別な構成では、接触部は箱の一方又は他方の側に偏っている。実際には、これはすべては梱包される対象物の形状次第である。この種の接触部は、円形断面の対象物を平行六面体の箱に収容した時は、直線状となり、例えば、六角形断面の対象物の場合には、幅が広くなる。
【００１３】
対象物の断面は、箱の前部パネルと接触する位置にくるようにデザインされた少なくとも１つの円弧または円形部分を有するのが好ましい。あるいは、対象物の断面は楕円、六角形、または八角形でもよい。
【００１４】
フラップが、フラップの自由端によって形成された２つの延長部を有する場合、それらは、特にＶ型形状、台形状あるいは円弧状のくぼみあるいは切れ込みによって隔てられている。このような形は、梱包された対象物とうまく接触することができ、箱の前部パネルと対象物の間にフラップを容易に挿入することができる外縁を規定するのに適切である。実際に、この種の徐々に変化する外縁によって、対象物と接触する際に、対象物は箱の前部表面から（外縁部分の厚さに相当する距離だけ）わずかに離され、対象物と箱の前部表面の間への蓋のフラップの挿入が容易に行われる。
【００１５】
好適な実施例によると、フラップの自由端は、蓋の部分から延長部の先端に徐々に向かっていく外縁を有する。この外縁は丸みを帯びた凸状であるのが望ましい。
【００１６】
さらに、関連した蓋を閉じるシステムは、片側、または両側のタブの延長部を折り曲げることによって得られた、１つまたは２つの側面のタブも含んでも良い。そのような場合、蓋が閉じた状態のとき、フラップは側面または各側面タブの前部の縁と前部のパネルの間に位置しなければならない。
【００１７】
対象物は、これは口紅やファンデーションまたはリップケア用製品のようなメイクアップまたはケア用品を収容するケースであるのが好ましい。
【００１８】
箱は、少なくとも２ミリメートルの厚さを持った、場合によってはプラスチック加工された、厚紙あるいは同種の材料からなるブランクを、切断、折り曲げおよび貼付することによって作られた一体構造である。
本発明の他の特徴と長所は、発明の制限的でない実施例の詳細な説明を読んで、添付の図面を検討することによって明らかになるはずである。
【発明を実施するための最良の形態】
【００１９】
発明の１番目の変形例によるアセンブリ１は、図１と図２に図示したように、口紅のケースＥが挿入される箱Ｂを有する。箱Ｂは、図３に示すように、プラスチック加工されて外部に装飾を施した、紙の素材からなるブランク（例：板）を、折り曲げたり切ったりすることによって作り出される。細長い結合部７は前部パネル３の側面に沿って作られる。
【００２０】
後部パネル４と左側部パネル５とを分ける折線１０、右側部パネル６と背面パネル４とを分ける折線１１、前部パネル３と側部パネル６とを分ける折線１２とでブランクＦを折り曲げた後、細長い結合部7を側部タブ５に貼付して、平行六面体の本体２を形成する。
【００２１】
細長い結合部７は、上述の折線１０，１１，１２に平行な折線１３から折り曲げて前部パネル３に貼付して、並行六面体のシース２が形成される。
【００２２】
この例において、シース２は上部開口部１５と図１で示していない下部開口部を有する。上部開口部１５には閉止システム２１、２２、３７、４０が、下部開口部には同種の閉止システム２１’２２’３７’４０’（図３）が設けられている。
【００２３】
閉止システムは、２つの側面パネル５と６の上部延長部で作られた２つの側面タブ２１と２２と、後部パネル４の上部延長部で作られた側面タブ２１と２２の間に位置する蓋３７を有する。
【００２４】
その下部の閉止システムは同様に、側面パネル５と６の下部の延長部で形成された２つの側面タブ２１’と２２’と、後部パネル（４）の下部延長部で形成された蓋３７’を有する。もちろん、発明による上部閉止システムは、下部閉止システムと同じである必要はない。
【００２５】
各側面タブ２１、２１’あるいは２２、２２’は折込線１０から１３（図３）と垂直をなす折込線２１ａ、２１ａ’と２２ａ、２２ａ’に沿って関連した側面パネル５と６のうち１つと結合されている。
【００２６】
関連した折込線のどちらかの側面で、各側面タブ２１または２２は台形の形状をタブに与えるために側面の縁２１ｂ、２２ｂと２１ｄ、２２ｄを斜めに切り取っている。折込線２１ａ、２１ａ’と２２ａ、２２ａ’の付近と前部パネル３の付近で各タブは後述される突起部２１ｃ、２１ｃ’と２２ｃ、２２ｃ’の機能を具備する。
【００２７】
蓋３７、３７’は、１番目の折込線３８、３８’に沿って後部パネル４に結合される。２番目の折込線３９、３９’は、１番目の折込線の反対側に位置して、蓋にフラップ４０、４０’を結合している。このフラップは、箱Ｂが閉じた後では、前部パネル３の上端の直ぐ後ろに密着するようにデザインされている。
【００２８】
発明によると、各フラップ４０、４０’の自由端には、検討例においては、円弧状の凹面の切れ込み５０、５０’が設けられている。切れ込み５０、５０’の両側面で、各フラップの側面の縁５２は丸みを帯びた形状であり、切れ込み５０、５０’と共に２つの比較的先のとがった延長部５１、５１’を形成している。その延長部５１、５１’は距離ｄだけ他方と隔てられている。前記の形状では、延長部５１、５１’は、折線３９からの距離が徐々に変化する縁部によって互いに分離されており、この距離ｌは２つの延長部５１の間の中ほどで最小になる。
【００２９】
これに加えて、各フラップ４０、４０’は各側面つまり、折込線３９、３９’からわずかにずれた位置に段４０ａ、４０ｂを有し、突出した舌状部３７ａ、３７ｂを規定している。箱Ｂが閉じた状態にあるとき、これらの舌状部は前部パネル３の上部（下部）の縁に当接する。同時にその切り口４０ａ、４０ｂには、突き出ている部分２１ｃ、２１ｃ’と２２ｃ、２２ｃ’が当接し、箱Ｂの封止を強化している。
【００３０】
図１によると、梱包されるその対象物Ｅは回転シリンダー状の口紅ケースである。箱Ｂの高さは、おおよそケースＥの高さに一致している。側面壁の幅は特に輸送中にできるだけ箱の内側のケースのガタつきを抑えるために、ケースの横方向の動きを止めるような幅である。結果として、ケースは箱Ｂの各４面の中心と実質的に少しだけ触れる状態である。
【００３１】
対象物Ｅと前部表面３の接触範囲が図１の参照図Ｄに示されている。
【００３２】
接触範囲Ｄは前部パネル３の頂部から底部まで、左右に関しては中央部である。接触範囲Ｄの幅は対象物Ｅの交差部の半径によって定まる。実際にほとんどの口紅のシリンダー状ケースで、この幅はおよそ２ミリメートルから４ミリメートルである。接触部Ｄの両側には、対象物の外側と対象物と接触していない箱の内側部分によって規定された２つの体積Ｖがある。
【００３３】
ケースＥが箱Ｂの中に置かれた後、側面タブ２１と２２は、図２に示すように、開口部１５に置かれ、蓋３７は側面タブ２１と２２の上に折り曲げられ、フラップ４０は、対象物Ｅの上部と前部パネル３の上部の間に挿入される。
【００３４】
フラップ４０の自由端が切り込み５０を含まなければ、フラップ４０の挿入中に、その自由端は前部パネルの内壁と接触しているケースの上端に当接する。この状況では、特に、その箱が自動装置によって閉じられるときには、フラップの縁が損傷して、きれいに箱を閉じることが困難になる。
【００３５】
本発明によれば、シース２のなかにフラップ４０を挿入するとき、２つの延長部５１それぞれは接触部Ｄの両側面で体積Ｖに入り込む。その延長部の間に形成された間隔ｄは接触部Ｄの幅より大きいので、この梱包過程の実行は容易である。フラップ４０を閉止位置に向かって動かす過程で、切れ込み５０の縁は徐々にケースの外側と前部パネル３の間に割り込んで、ケースと箱の前部表面をわずかに分離させる。この分離はフラップの板の厚さに一致する。
【００３６】
したがって、その操作の最後には、フラップ４０は前部パネル３の内側表面とケースの対応部分の間にしっかり挟まれて移動しなくなる。さらに、前に述べたように、舌状部２１ｃ、２２ｃが蓋３７の切り目４０ａ、４０ｂの縁と接触する。
【００３７】
図３は、異なる部分を連続的に折って、次に切り貼りすることで前述の箱を得ることができる、１枚の厚紙から作られたブランクＦを示すものである。
【００３８】
より具体的には、箱Ｂは以下のように形成される：線１０から１２に沿ってパネル３、４、５、６を折込んで、パネル５の自由端１０ａにある範囲に対して蓋７を切り貼りして、全般的に正六面体状のシース２が得られる。このシース２は２つの開口端１５、１５’を有する。各側面パネル５、６には、それぞれ折込線２１ａ、２２ａと２１ａ’、２２ａ’によって側面パネル５と６の各端に結合された２つのタブ２１、２２と２１’、２２’が設けられている。シース２は外側に開くことができる。
【００３９】
そのシースの底面１５’を閉じるために、タブ２１’と２２’を折り重ねて、蓋３７’を１番目の折込線３８’に沿って折る。次にそのフラップ４０’を、そのシースの底端に２番目の折込線３９’に沿って折って、そのシースの底でそのシースの中に挿入する。
【００４０】
底１５’を閉じた後で、そのシース２は図１に示すように、梱包されるケースＥを受け入れる準備ができている。この例では、そのケースＥは、上端１５からシース中に挿入される。
【００４１】
同様の方法で、上端１５をタブ２１と２２を折り重ねることによって閉じる。次に、蓋３７を折込線３８にそって折る。前段で詳細に説明した方法で、そのフラップ４０を折込線３９にそって折って、端１５からシースの中に挿入する。
【００４２】
ケースＥは、このように輸送中や保管中に固定されて、箱Ｂの内側でガタつくことがない。
【００４３】
産業的な手段によって、箱Ｂを製作し、ケースＥを挿入し、箱を閉じることが可能であることに注意する必要がある。
【００４４】
発明は上述の実施例に制限されるものではないことは当然である。
【００４５】
図４は、ケースＥの断面が八角形であって、フラップ４０の自由端の切れ込み５０はさらに広い台形であるという点において上述の実施例と異なる変形例を示すものである。台形の小さい側の幅がｄ２である一方で、延長部５１の間の距離は幅ｄ１である。接触部の範囲Ｄの幅の関数として、ｄ１とｄ２は次の関係式を満足するように選択する。
ｄ１＞Ｄ、ただし、ｄ１＞ｄ２
【００４６】
これらの条件が与えられる場合、ケースＥと前部パネル３の内部表面の間にフラップを挿入することは容易である。
【００４７】
図５は図２に類似したアセンブリ１の別の変形例を上から見た図である。図５に示したケースは、角が丸められた実質的に四角形の断面を有する。そのケースの側面の壁は、湾曲部の比較的大きな半径によってわずかに凸状となっている。この曲面が大きな半径を有する結果、ケースＥと前部パネル３の内部壁の間の接触部Ｄは、図１と２で説明した接触範囲より広い。箱Ｂを閉じるメカニズムは本質的に図１と２で示した箱に関連して述べたものと同様である。
【００４８】
図６はフラップ４０の形状の別の変形例を示すものである。この変形例は、蓋３７はフラップの側面の縁の付近に形成されて、接触範囲Ｄのどちらかの側面で規定された体積Ｖの１つに挿入されるようにデザインされた延長部５１を１つだけ具備する。延長部に隣接するフラップ４０の側面の縁５２は、わずかに凸である。フラップ５０の幅は、延長部５１から切り口４０ｂの方向に曲げられた縁部に沿って次第に減少する。延長部５１近傍では曲線は最初凹状であり、切り口４０ｂに隣接するその部分５２ａで凸状になる。箱Ｂの閉じるメカニズムは本質的に図１と２で示した箱に関して述べたことと同様である。
【００４９】
上記で与えられた詳細な説明で、発明の変形例を参照した。添付の請求の範囲に記載した発明の本質から離れることなく更なる変形例を製作することができることは自明である。
【図面の簡単な説明】
【００５０】
【図１】図１は、発明による梱包用アセンブリの概念図である。
【図２】図２は、図１の上から見た概念図である。
【図３】図３は、図１で示した箱の、予め切断した折りたたむ前のブランクを示す。
【図４】図４は、図１と類似した変形例を示した部分的な概念的斜視図である。
【図５】図５は図２と類似した別の変形例を示した図である。
【図６】図６は別の変形例を示した部分的な斜視図である。
【図１】
2005047620.tif 000003
【図２】
2005047620.tif 000004
【図３】
2005047620.tif 000005
【図４】
2005047620.tif 000006
【図５】
2005047620.tif 000007
【図６】
2005047620.tif 000008